(57)【要約】【課題】  弾性振動板ファンに熱交換機能を付与する。【解決手段】  電気的に駆動される加振手段２，２、３５，３６、３５，３６と、該加振手段２，２、３５，３６、３５，３６により加振されて往復振動するブレード部３とからなる弾性振動板ファン１において、ブレード部３内に、複数本の冷媒通路３２，３２・・・を設け、冷媒を流すようにする。  このような構成によると、弾性振動板ファン１そのものに送風機能とともに熱交換器としての機能が付加されることになり、空気調和機等に適用した時に、従来のような専用の熱交換器５を不要とするか、または同熱交換器５の容量を小さくすることができ、当該空気調和機等の小型、コンパクト化に有効となる。【選択図】        図１
2006037754.tif 000002
【特許請求の範囲】
【請求項１】
電気的に駆動される加振手段（２），（２）、（３５，３６）、（３５，３６）と、該加振手段（２），（２）、（３５，３６）、（３５，３６）により加振されて往復振動するブレード部（３）とからなる弾性振動板ファン（１）であって、ブレード部（３）内には、複数本の冷媒通路（３２），（３２）・・・が設けられ、冷媒が流されるようになっていることを特徴とする弾性振動板ファン。
【請求項２】
冷媒通路（３２），（３２）・・・は、所定外径以下の合成樹脂製の細径管よりなり、該細径管の外周に合成樹脂製のブレード部（３）がモールドされて、ブレード部（３）が伝熱フィンとしての機能を果たすように構成されていることを特徴とする請求項１記載の弾性振動板ファン。
【請求項３】
ブレード部（３）の両側面には、複数の伝熱フィン（３４），（３４）・・・が設けられていることを特徴とする請求項１又は２記載の弾性振動板ファン。
【請求項４】
加振手段（２），（２）は、圧電体よりなることを特徴とする請求項１，２又は３記載の弾性振動板ファン。
【請求項５】
加振手段（３５，３６）、（３５，３６）は、電磁石よりなることを特徴とする請求項１，２又は３記載の弾性振動板ファン。
【請求項６】
熱交換機能を備えた弾性振動板ファン（１）を複数台組み合わせて空気調和機用の送風機兼用熱交換器モジュールを形成したことを特徴とする請求項１，２，３，４又は５記載の弾性振動板ファン。
【発明の詳細な説明】
【技術分野】
【０００１】
本願発明は、空気調和機を形成するのに適した弾性振動板ファンの構造に関するものである。
【背景技術】
【０００２】
一般に弾性振動板ファンは、電気的に駆動される加振手段と、該加振手段により加振可能に支持された弾性率の大きい薄板よりなるブレード部と、上記加振手段およびブレード部の基端側を固定する固定手段とから構成されている。
【０００３】
今、これを同弾性振動板ファンが、例えば圧電ファンである場合について示すと、図１２のようになる。
【０００４】
すなわち、該弾性振動板ファン１は、例えば電気的な加振駆動手段としての一対の圧電体２，２と、該一対の圧電体２，２の間に挟持された弾性率の大きい例えばプラスチック製の薄板よりなるブレード部３と、上記圧電体２，２およびブレード部３の基端側を固定する固定部材４と、上記圧電体２，２に電源を供給する電源端子部３１とから構成されている（いわゆるバイモルフ素子構造）。ブレード部３は、例えば一対の圧電体２，２よりも所定寸法以上長さが長く、所望の風量を得るに十分な振幅と羽根幅のものに形成されている。
【０００５】
今、電源端子部３１のリード線２ａ，２ｂを介して上記一対の圧電体２，２に正弦波の駆動電圧を印加すると、何れか一方側の圧電体２が伸びる一方、他方側の圧電体２が縮み、印加される駆動電圧の極性に応じて所定の周期で屈曲作動するようになり、上記固定部材４部分を固定して、その共振周波数の正弦波駆動電圧を与えるようにすると、上記ブレード部３が、所定の振幅で、うちわ状に振動する。そして、同ブレード部３が中正点に復元するときに、押し出された空気が矢印で示すように前面方向に飛び出して、必要な量の風を発生させる（例えば特許文献１，特許文献２参照）。
【０００６】
そして、例えば図１３に示すように、上述のような弾性振動板ファン１を複数台、その振動方向に沿って並設することによって、それらのトータルの送風能力を十分に増大させる一方、例えば熱交換面積の大きい大型の熱交換器５に対応させるようにすると、例えば図１４に示すような壁掛け型の空気調和機用室内機を構成することも可能である。
【０００７】
すなわち、図１３および図１４において、符号６は、当該壁掛け型空気調和機用室内機の扁平な本体ケーシングであり、図１４に示すように建物の壁７の上部に、天井８との間に所定の間隔をおいて設置されるように構成されている。そして、該本体ケーシング６の正面部と天面部には、各々空気吸込用の開口６ａ，６ａが、また底面には空気吹出用の開口６ｂが各々開口されており、上記正面側、天面側各空気吸込用開口６ａ，６ａの内側には、当該各開口面に対応して内部に冷媒が流れる鉤形の空気熱交換器５が設けられている。
【０００８】
そして、上記弾性振動板ファン１，１・・・は、該構造の本体ケーシング６内において、上記空気吸込用の開口６ａ，６ａおよび空気熱交換器５、空気吹出用の開口６ｂに対して、図示のように設置固定され、上述のように、その共振周波の正弦波駆動電圧で駆動された時に、例えば図１４中に仮想線で示すように、上記各空気吸込用開口６ａ，６ａから均等に空気を吸込み、上記空気熱交換器５の正面側部分および天面側部分の各々を均等に通して、底面側空気吹出用の開口６ｂから下方にスムーズに吹き出すようになっている。
【０００９】
このような構成によると、羽根幅が小さく、しかも羽根面と直交方向に振動する多数の弾性振動板ファン１，１・・・を使用して送風ユニットを構成し、それを鉤形で、コンパクトかつ広面積の空気熱交換器５に対応させることにより、トータルとして有効な送風量を確保しながら、しかも室内機自体を十分に薄型化することができるようになる。
【００１０】
しかも、弾性振動板ファン１，１・・・は多翼ファン（シロッコファン）のような回転機構等の摺動部がないので、耐久性に優れ、またコイル部がないので電磁ノイズも発生しない。また、消費電力量も小さく、送風時の騒音も低い。
【００１１】
【特許文献１】特開２０００−１１０７９６号公報（第１−３頁、図１−２）
【特許文献２】特開昭６２−５５５００号公報（第１−４頁、第１図）
【発明の開示】
【発明が解決しようとする課題】
【００１２】
しかし、上記従来の弾性振動板ファンは、あくまでも送風手段としての機能しかもたず、空気調和機（室内機又は室外機）として構成しようとすると、上述のように必ず別途専用の熱交換器５が必要となる。
【００１３】
そのため、例えば図１３および図１４のように、空気調和機として構成した時に、薄型化、コンパクト化が可能になるとは言っても、当該熱交換器５の大きさ、形状による限界がある。
【００１４】
また、上記弾性振動板ファンの場合、その性格上、必ずしも静圧は高くない。
【００１５】
したがって、上記図１３、図１４のように、通風抵抗の大きなプレート式熱交換器５を組み合わせるようにした場合、圧損が大きく、必ずしも有効に本来の熱交換器５の熱交換性能を引き出すことができない問題がある。
【００１６】
本願発明は、このような問題を解決するためになされたもので、上記弾性振動板ファンのブレード部に冷媒通路を形成して冷媒を流すことにより、同ブレード部に熱交換機能を持たせ、空気調和機等に適用した時に、従来のような専用の熱交換器を不要とするか、または同熱交換器の容量を小さくすることができるようにした弾性振動板ファンを提供することを目的とするものである。
【課題を解決するための手段】
【００１７】
本願発明は、上記の目的を達成するために、次のような課題解決手段を備えて構成されている。
【００１８】
（１）  第１の課題解決手段
この発明の第１の課題解決手段は、電気的に駆動される加振手段２，２、３５，３６、３５，３６と、該加振手段２，２、３５，３６、３５，３６により加振されて往復振動するブレード部３とからなる弾性振動板ファン１であって、ブレード部３内には、複数本の冷媒通路３２，３２・・・が設けられ、冷媒が流されるようになっていることを特徴としている。
【００１９】
このような構成によると、弾性振動板ファン１そのものに送風機能とともに熱交換器としての機能が付加されることになり、空気調和機等に適用した時に、従来のような専用の熱交換器を不要とするか、または同熱交換器の容量を小さくすることができる。
【００２０】
したがって、当該空気調和機等の小型、コンパクト化に有効となる。
【００２１】
（２）  第２の課題解決手段
この発明の第２の課題解決手段は、上記第１の課題解決手段の構成において、冷媒通路３２，３２・・・は、所定外径以下の合成樹脂製の細径管よりなり、該細径管の外周に合成樹脂製のブレード部３がモールドされて、ブレード部３が伝熱フィンとしての機能を果たすように構成されていることを特徴としている。
【００２２】
このような構成によると、ブレード部３が、送風手段として直接風に滑らかに接触するとともに、同ブレード部３が、直接広面積のプレートフィン等の伝熱フィンとして機能するので、フィン効率が高く、冷媒通路３２，３２・・・内の冷媒と空気との熱交換性能も大きく向上する。
【００２３】
（３）  第３の課題解決手段
この発明の第３の課題解決手段は、上記第１又は第２の課題解決手段の構成において、ブレード部３の両側面には、複数の伝熱フィン３４，３４・・・が設けられていることを特徴としている。
【００２４】
このような構成によると、ブレード部３の両側面の複数の伝熱フィン３４，３４・・・の作用によって、さらにブレード部３の伝熱面積が拡大され、より伝熱性能が向上して、より冷媒と空気との熱交換性能が向上する。
【００２５】
（４）  第４の課題解決手段
この発明の第４の課題解決手段は、上記第１，第２又は第３の課題解決手段の構成において、加振手段２，２は、圧電体よりなることを特徴としている。
【００２６】
このような構成によると、熱交換機能を有した圧電ファンを実現することができる。
【００２７】
このような圧電ファンでは、多翼ファン（シロッコファン）のような回転機構等の摺動部がないので、耐久性に優れ、またコイル部がないので、電磁ノイズも発生しない。したがって、消費電力量も小さく、送風時の騒音も低い。
【００２８】
（５）  第５の課題解決手段
この発明の第５の課題解決手段は、上記第１，第２又は第３の課題解決手段の構成において、加振手段３５，３６、３５，３６は、電磁石よりなることを特徴としている。
【００２９】
このような構成によると、熱交換機能を有した電磁駆動ファンを実現することができる。
【００３０】
このような電磁駆動ファンでは、多翼ファン（シロッコファン）のような回転機構等の摺動部がないので、耐久性に優れ、また消費電力量も小さく、送風時の騒音も低い。
【００３１】
さらに、上記圧電ファンの場合に比べて、より大きな駆動力を得ることができ、大風量化が容易である。
【００３２】
（６）  第６の課題解決手段
この発明の第６の課題解決手段は、上記第１，第２，第３又は第４の課題解決手段の構成において、熱交換機能を備えた弾性振動板ファン１を複数台組み合わせて空気調和機用の送風機兼用熱交換器モジュールを形成したことを特徴としている。
【００３３】
このように、熱交換機能を備えた弾性振動板ファン１を複数台組み合わせて空気調和機用の送風機兼用熱交換器モジュールを形成するようにすると、従来の熱交換器を不要とするか、または補充的に使用することにより、トータルとして有効な送風量と必要な熱交換性能を確保しながら、しかも室内機や室外機自体を十分に薄型化することができるようになる。
【００３４】
したがって、室外機はもとより、特に壁掛け型の室内機等に適したものとなる。
【発明の効果】
【００３５】
以上の結果、本願発明の弾性振動板ファンによると、それ自体に熱交換機能が具備されていることから、従来の熱交換器機能が不要又は小さなもので足り、よりコンパクトかつ低コストな空気調和機用室内機、室外機等を実現することができるようになる。
【発明を実施するための最良の形態】
【００３６】
以下、添付の図面を参照して、本願発明を実施するための幾つかの最良の実施の形態について説明する。
【００３７】
（第１の形態）
先ず図１〜図３は、本願発明の第１の形態に係る熱交換器機能を備えた弾性振動板ファンの構成が、また図４および図５には、同弾性振動板ファンを使用して構成した空気調和機用室内機の構造が示されている。
【００３８】
図１ないし図３中、符号１が、熱交換器機能を備えた弾性振動板ファンである。該弾性振動板ファン１は、圧電ファンよりなり、例えば圧電セラミック等一対の圧電体２，２と、該一対の圧電体２，２の間に挟持された弾性率の大きい例えばプラスチック製の薄板等よりなるブレード部３と、上記圧電体２，２およびブレード部３の基端側を固定する固定部材３０と、該固定部材３０の他端側に設けられた電源端子部３１とから構成されている（いわゆるバイモルフ素子構造）。ブレード部３は、一対の圧電体２，２よりも所定寸法以上長さが長く、所望の風量を得るに十分な振幅と羽根幅のものに形成されている。
【００３９】
そして、上記ブレード部３の内部には、上記固定部材３０，３０により挟まれた固定部分および圧電体２，２によって挟まれた駆動部分を除いて、その先端部３ｂまでの広い範囲に亘って、図示のように複数本の冷媒通路３２，３２・・・が、長手方向に沿って所定の間隔で均一に設けられている。
【００４０】
そして、同冷媒通路３２，３２・・・は、その両端側各通路が、上記基端側の電源端子部３１内の冷媒ヘッダ部分まで延設され、同ヘッダ部分で、後述する室外機側への外部冷媒パイプ３３ａ，３３ｂとの接続用パイプ３２ａ，３２ｂと接続されている。一方、外部冷媒パイプ３３ａ，３３ｂは、例えば戸外に引き出されて図示しない室外機側の冷媒パイプに接続される。
【００４１】
今、上記電源端子部３１のリード線２ａ，２ｂを介して、上記一対の圧電体２，２に正弦波の駆動電圧を印加すると、何れか一方側の圧電体２が伸びる一方、他方側の圧電体２が縮み、印加される駆動電圧の極性に応じて所定の周期で屈曲作動するようになり、上記固定部材３０部分を固定して、その共振周波数の正弦波駆動電圧を与えるようにすると、上記ブレード部３が、所定の振幅で、うちわ状に振動する。そして、同ブレード部３が中正点に復元するときに、押し出された空気が前面方向に飛び出して、必要な量の風を発生させる。
【００４２】
そして、例えば図４に示すように、上述のような弾性振動板ファン１を複数台、その振動方向に沿って並設することによって、それらのトータルの送風能力を十分に増大させるようにすると、例えば図５に示すような壁掛け型の空気調和機用室内機を構成することができる。
【００４３】
図４および図５中、符号６は、当該壁掛け型空気調和機用室内機の扁平な本体ケーシングであり、建物の壁７の上部に、天井８との間に所定の間隔をおいて設置されるように構成されている。そして、該本体ケーシング６の正面部と天面部には、各々空気吸込用の開口６ａ，６ａが、また底面には空気吹出用の開口６ｂが各々開口されている。
【００４４】
そして、上記弾性振動板ファン１，１・・・は、同構造の本体ケーシング６内において、上記空気吸込用の開口６ａ，６ａ、空気吹出用の開口６ｂに対して、図示のようにブレード部３側を下方に向けて設置固定され、上述のように、その共振周波の正弦波駆動電圧で駆動された時に、例えば図５中に仮想線で示すように、上記各空気吸込用開口６ａ，６ａから均等に空気を吸込み、上記熱交換器として機能するブレード部３の全周面を通して熱交換し、冷風又は温風とした後、底面側空気吹出用の開口６ｂから下方にスムーズに吹き出すようになっている。
【００４５】
このような構成によると、羽根幅が小さく、図４、図５のようなしかも羽根面と直交方向に振動する多数の弾性振動板ファン１，１・・・を使用して、熱交換器としても機能する送風機兼用熱交換器モジュールを構成し、それを室内機の本体ケーシング６内に設置することにより、従来よりも遥かに有効な送風量と必要な熱交換性能を有する薄くてコンパクトな空気調和機用の室内機を実現することができるようになる。
【００４６】
（変形例１）
以上の形態の場合、上記複数本の冷媒通路３２，３２・・・は、例えば合成樹脂製の細径管を使用し、同細径管の外周に合成樹脂材をモールドする形で、上記図１〜図３のような冷媒通路３２，３２・・・を有する扁平なブレード部３を形成するようにしてもよい。
【００４７】
このような構成の場合、細径管が伝熱管、ブレード部３が伝熱フィン（プレートフィン）として機能する、高性能のフィンチューブ式の合成樹脂熱交換器が構成される。
【００４８】
なお、この場合、上記合成樹脂製の細径管としては、例えば「ポリエーテルエーテルケトン」や「ポリエーテルケトンケトン」、「ホリフェニレンサルファイト」などのガス透過性が低いものが好ましい。
【００４９】
そのような合成樹脂製の細径管を用いると、Ｒ４１０Ａなどの高圧冷媒でも使用可能となる。
【００５０】
また、上記細径管は、その外径が小さく、肉厚が小さいほど熱交換性能は向上する。また、単位体積当たりの配設本数を多くすることができるので、トータルとしての伝熱面積を増大させることができ、外部空気との熱伝達率が大きくなる。
【００５１】
一方、圧力損失は、内径が小さくなり、総管長も長くなるので、逆に大きくなる。
【００５２】
したがって、細径管の外径については、耐圧性、圧力損失共に実用的なレベルで、しかも熱交換性能が高くなる範囲のものが選ばれる。
【００５３】
（変形例２）
さらに、図６および図７は、上記第１の形態に係る送風ユニットの第２の変形例（改良例）の構成を示している。
【００５４】
上述のように、合成樹脂よりなる弾性振動板ファン１のブレード部３内に細径の冷媒通路３２，３２・・・を設け、当該ブレード部３部分を一種の合成樹脂熱交換器として構成した場合、その熱交換性能を一層向上させることが望まれる。
【００５５】
そこで、この第２の変形例では、例えば図６および図７に示すように、上記ブレード部３の両側面部の冷媒通路３２，３２・・・間に位置させて、さらに小幅な複数の伝熱フィン（リブ）３４，３４・・・を設けることによってブレード部３の伝熱面積を拡大させ、それによって可及的に熱交換性能を向上させるようにしている。
【００５６】
もちろん、この場合、上記ブレード部３の曲げ弾性度に影響を与えないように、上記伝熱フィン３４，３４・・・は、上記ブレード部３の全体ではなく、先端部３ｂ側に寄せて設けられる。
【００５７】
（第２の形態）
さらに図８および図９には、本願発明の第２の形態にかかる弾性振動板ファンおよび同弾性振動板ファンを用いて構成した空気調和機用室外機の構造が示されている。
【００５８】
この形態の場合には、従来型の熱交換器を有する空気調和機用室外機に対して、上記第１の形態のもと同様の熱交換器としての機能を有する弾性振動板ファンよりなる本願発明の送風機兼用熱交換器モジュールを組み、さらに有効に熱交換性能をアップさせたことを特徴としている。
【００５９】
この構成では、先ず空気調和機用室外機の箱型の室外機本体ケーシング（以下、単に本体ケーシングという）４０が、正面４０ａ、左側面４０ｂ、上面４０ｃをそれぞれ開口面とする一方、背面４０ｄ、右側面４０ｅ、底面４０ｆを閉塞面として構成されており、正面４０ａおよび左側面４０ｂにグリル構造の空気吸込口ａ，ｂが、また上面４０ｃにグリル構造の空気吹出口ｃがそれぞれ設けられている。
【００６０】
一方、同本体ケーシング４０内の右側面４０ｅ側には、仕切板４１を介して機械室４２が形成されており、該機械室４２内には、圧縮機４３その他の各種必要機器が設置されている。
【００６１】
上記本体ケーシング４０内の上記正面４０ａ、背面４０ｄ、左側面４０ｂ、仕切板４１によって囲まれた空間内には、上記正面４０ａ側空気吸込口ａと左側面４０ｂ側空気吸込口ｂの各々に対応して水平方向に鉤形の空気熱交換器４４が並設されている一方、その内側には、上記第１の形態のものと同様の熱交換機能を有する複数台の弾性振動板ファン１，１により構成された送風機兼用熱交換器モジュールが設置されている。
【００６２】
そして、同モジュールの上記弾性振動板ファン１，１は、上記本体ケーシング４０内において、上記空気吸込口ａ，ｂおよび空気熱交換器４４、空気吹出口ｃに対して、図８および図９に示すように設置固定され、その共振周波の正弦波駆動電圧で駆動された時に、上記各空気吸込口ａ，ｂから均等に空気を吸込み、上記空気熱交換器４４の正面側部分および左側面側部分の各々を均等に通して、上面側空気吹出口ｃから上方にスムーズに吹き出すようになっている。
【００６３】
このような構成によると、羽根幅が小さく、しかも羽根面と直交方向に低騒音で振動する複数の弾性振動板ファン１，１を使用して可及的に扁平かつ静かな送風機兼用熱交換器モジュールを構成し、それを、さらに鉤形でコンパクトかつ広面積の空気熱交換器４４に対応させているので、トータルとして有効な送風量を確保しながら、しかも、より大きな熱交換性能を得ることができる。したがって、上記従来型の熱交換器４４は、従来のものに比べて小型、小能力のものであっても良くなり、その分室外機自体を薄型化することができるようになる。
【００６４】
そして、この場合、例えば上記上面４０ｃ側空気吹出口ｃの下面側には、上記各弾性振動板ファン１，１のブレード部３，３の先端に対応して、ブレード嵌合口４５ｂ，４５ｂを形成するベルマウス４５，４５が設けられている。該ベルマウス４５，４５は、空気吹出方向上流側に円弧面状の空気導入部４５ａ，４５ａが設けられ、吹出方向への空気流が、同空気導入部４５ａ，４５ａを介して可及的にスムーズに導入されるようになっている。
【００６５】
したがって、このような構成では、上記各弾性振動板ファン１，１と本体ケーシング４０の上面４０ｃの空気吹出口ｃとは、上記円弧面状の空気導入部４５ａ，４５ａを有するベルマウス４５，４５によってクローズド状態に仕切られ、各ブレード部３，３・・・の先端３ｂ，３ｂ・・・側からの風のみが、上記対応する各ブレード嵌合口４５ｂ，４５ｂから上記空気吹出口ｃ側に吹き出されて行くようになり、各ブレード部３，３・・・の空気吹出部側と空気吸込部側との間に十分な圧力差を確保することができるようになる。つまり、静圧性能が大きく向上する。
【００６６】
その結果、弾性振動板ファン１，１のブレード部３の基部３ａ側から先端３ｂ側に到る全域部分の周囲から均等に空気が吸込まれて空気吹出口ｃ側に吹き出されるようになり、上記空気熱交換器４４の各部を通る空気の流速分布が全体に亘って効果的に均一化される。
【００６７】
その結果、熱交換性能も、さらに向上する。
【００６８】
なお、上記弾性振動板ファン１，１は、例えば複数台のものを、上記のようなブレード部３の振動方向に並列に、又は空気流の上下流方向に直列に設置するなど種々の設置形態を採用することができるとは言うまでもない。また、その場合、相互に隣合うもの同士の駆動位相を逆にしたり、上下流間のものが重ならないように、千鳥状に配列したりすることも全く自由に採用される。
【００６９】
（変形例）
なお、以上の第２の形態の場合には、熱交換器としても機能する本願発明の弾性振動板ファン１，１を、従来型の熱交換器４４と併用することにより、一段と熱交換性能をアップするように構成したが、特に熱交換性能の増大を必要としないような場合には、上述の第１の形態の室内機の場合と同様に、従来型の熱交換器４４をなくして、より室外機本体ケーシング４０の小型化、コンパクト化を図るようにしてもよいことはもちろんである。
【００７０】
（第３の形態）
次に、図１０および図１１は、本願発明の第３の形態に係る送風ユニットの構成を示している。
【００７１】
上記第１の形態の変形例２においても述べたように、本願発明の弾性振動板ファンにおける熱交換性能を向上させるためには、ブレード部３の伝熱面積を拡大することが効果的であり、同変形例２のように伝熱フィン（リブ）３４，３４・・・を付加することも有効である。
【００７２】
しかし、伝熱フィン（リブ）３４，３４・・・の付設は、ブレード部３の剛性を高くし、弾性係数を低下させる欠点があり、余り広い範囲に亘って設置することはできない。
【００７３】
また、一方上述の各形態で採用したような圧電ファンの場合には、ブレード部３の両側に相当な長さ域に亘って、セラミックプレート等の圧電体２，２が存在する。
【００７４】
したがって、同圧電体２，２で挟まれた部分は、風との接触もなく、全く熱交換に寄与しない。そのため、ブレード部３の伝熱面積が、相当に制約縮小されている。
【００７５】
そこで、この形態では、弾性振動板ファンとしての駆動メカニズムを、上記圧電駆動方式から電磁駆動方式に変更し、上記ブレード部３の固定部を除く広い範囲に亘って有効に熱交換に寄与させるようにしたことを特徴としている。
【００７６】
すなわち、該構成では、例えば図１０に示すように、圧電体がなく、ブレード部３には、固定部材３０，３０により挟まれた固定部分を除いて、その先端部３ｂまでの全体に亘る広い範囲に亘って、複数本の冷媒通路３２，３２・・・が設けられている。一方、その途中には、最低限必要な幅の曲げ変形可能な薄い鉄片３５，３５が貼設一体化されている。
【００７７】
そして、同鉄片３５，３５の両側には、例えば図１１に示すように、鉄芯３６ａ，３６ａの外周にエナメル線等よりなる電磁コイル３６ｂを巻装した電磁石３６，３６が、所定の周期で交互にＯＮ，ＯＦＦ駆動されるように対向して設けられている。
【００７８】
そして、それら左右一対の電磁石３６，３６によって、その鉄芯３６ａ，３６ａ部に当該鉄片３５，３５を交互に吸着又は脱着することによって、図１０の仮想線に示すように、ブレード部３を、所定の振幅でうちわ状に振動させる。
【００７９】
そして、同ブレード部３が、中正点に復元するときに、押し出された空気が前面方向に、必要な量の風を発生させる。
【００８０】
この時、同ブレード部３の全体に亘って広く均一に分布する複数本の冷媒通路３２，３２・・・を流れる冷媒と同十分な量の風がブレード部３の両面を介して、極めて効率良く熱交換される。
【００８１】
したがって、該構成では上述した第１の形態のものに比べて、ブレード部３の伝熱性能が遥かに高く、熱交換性能が大きく向上する。
【図面の簡単な説明】
【００８２】
【図１】本願発明の最良の実施の形態１に係る弾性振動板ファンの斜視図である。
【図２】同平面図である。
【図３】図２のＡ−Ａ断面図である。
【図４】同弾性振動板ファンを用いて構成した空気調和機用室内機の正面側から見た中央縦断面図である。
【図５】同弾性振動板ファンを用いて構成した空気調和機用室内機の右側面側から見た中央縦断面図である。
【図６】本願発明の最良の実施の形態１に係る弾性振動板ファンの変形例２の平面図である。
【図７】同図６のＢ−Ｂ断面図である。
【図８】本願発明の最良の実施の形態２に係る弾性振動板ファンにより構成した空気調和機用室外機の正面側から見た中央縦断面図である。
【図９】同弾性振動板ファンを用いて構成した空気調和機用室外機の右側面側から見た中央縦断面図である。
【図１０】本願発明の最良の実施の形態３に係る弾性振動板ファンの斜視図である。
【図１１】同平面図である。
【図１２】従来例に係る弾性振動板ファンの斜視図である。
【図１３】同従来の弾性振動板ファンを用いて構成した空気調和機用室内機の正面側から見た中央縦断面図である。
【図１４】同従来の弾性振動板ファンを用いて構成した空気調和機用室内機の右側面側から見た中央縦断面図である。
【符号の説明】
【００８３】
１は弾性振動板ファン、２は圧電体、３はブレード部、６は室内機ケーシング、６ａは空気吸込用開口、３０は固定部材、３２は冷媒通路、３６は電磁石である。
【図１】
2006037754.tif 000003
【図２】
2006037754.tif 000004
【図３】
2006037754.tif 000005
【図４】
2006037754.tif 000006
【図５】
2006037754.tif 000007
【図６】
2006037754.tif 000008
【図７】
2006037754.tif 000009
【図８】
2006037754.tif 000010
【図９】
2006037754.tif 000011
【図１０】
2006037754.tif 000012
【図１１】
2006037754.tif 000013
【図１２】
2006037754.tif 000014
【図１３】
2006037754.tif 000015
【図１４】
2006037754.tif 000016